【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
端末装置から、連絡しようとする利用者を指定する連絡先相手情報を含む検索要求を受信する連絡相手受信手段と、
利用者を検出し、前記検出した利用者と検出結果とを対応づけて管理している利用者検出部へ、前記受信した連絡先相手情報を送出し、前記連絡先相手となる利用者に対応づけられて管理されている検出結果を受信する利用者確認手段と、
利用者確認手段にて受信した前記検出結果に対応づけて記憶されている通信手段の連絡先を取得する連絡先取得手段と、
利用者確認手段にて受信した前記検出結果、及び、連絡先取得手段にて取得した前記通信手段の連絡先を前記端末装置へ通知する連絡先通知手段とを備えることを特徴とする連絡先検索装置。
【請求項２】
端末装置から、連絡しようとする利用者を指定する連絡先相手情報を含む検索要求を受信する連絡相手受信手段と、
利用者の所在地を検出し、前記利用者と検出結果とを対応づけて管理している利用者検出部へ、前記受信した連絡先相手情報を送出し、前記連絡先相手となる利用者に対応づけて管理されている検出結果を受信する利用者確認手段と、
利用者確認手段にて受信した前記検出結果に対応づけて管理されている通信手段の連絡先を取得する連絡先取得手段と、
利用者確認手段にて受信した前記検出結果、及び、連絡先取得手段にて取得した前記通信手段の連絡先を前記端末装置へ通知する連絡先通知手段とを備えることを特徴とする連絡先検索装置。
【請求項３】
前記連絡先検索装置はさらに、
各々の利用者の電子メールアドレスを記憶する電子メールアドレス記憶手段を備え、
前記連絡先取得手段は、前記電子メールアドレス記憶手段から連絡先相手となる相手の電子メールアドレスを取得し、
前記連絡先通知手段は、利用者確認手段にて受信した前記検出結果及び連絡先取得手段にて取得した通信手段の連絡先と共に、前記電子メールアドレス記憶手段から取得した電子メールアドレスを前記端末装置へ通知する請求項１乃至２に記載の連絡先検索装置。
【請求項４】
前記連絡先検索装置はさらに、
各々の利用者の行き先、及び当該行き先の電話番号を含む情報を記憶するスケジュール情報記憶手段を備え、
前記連絡先取得手段は、前記利用者確認手段が、連絡先相手となる利用者の所在地を確認できない場合に、前記スケジュール情報記憶手段に記憶されている前記連絡先相手となる利用者の行き先及び当該行き先の電話番号を含む情報とを取得し、前記連絡先通知手段は、連絡しようとする相手の所在地が確認できなかったことを示す情報と共に、前記連絡先取得手段で取得した連絡先相手となる利用者の行き先及び当該行き先の電話番号を含む情報を前記端末装置へ通知する請求項１乃至３に記載の連絡先検索装置。
【請求項５】
前記連絡先検索装置はさらに、
前記スケジュール情報記憶手段に記憶されている情報から、連絡元から連絡先相手となる利用者の行き先までの距離を算出する距離算出手段と、
前記連絡先通知手段は、前記距離算出手段にて算出した連絡元から連絡先相手となる利用者の行き先までの距離を前記端末装置へ通知する請求項４に記載の連絡先検索装置。
【請求項６】
前記連絡先検索装置はさらに、
前記スケジュール情報記憶手段に記憶されている情報から、連絡元から連絡先相手となる利用者の行き先までの距離を算出する距離算出手段と、
前記距離算出手段により算出された距離に応じて当該連絡先相手となる利用者の行き先の電話番号を加工する電話番号加工手段とを備え、
前記連絡先通知手段は、前記電話番号加工手段により電話番号が加工された場合には、加工後の電話番号を前記端末装置へ通知する請求項４に記載の連絡先検索装置。
【請求項７】
前記距離算出手段は、連絡先相手となる利用者の行き先の都市名から、連絡元から連絡先相手となる利用者の行き先までの距離を算出する請求項５または６に記載の連絡先検索装置。
【請求項８】
前記距離算出手段は、連絡先相手となる利用者の行き先の電話番号から、連絡元から連絡先相手となる利用者の行き先までの距離を算出する請求項５または６に記載の連絡先検索装置。
【請求項９】
前記スケジュール情報記憶手段は、利用者の行き先のファックス番号を記憶し、
前記連絡先取得手段は、前記スケジュール情報記憶手段から連絡先相手となる利用者の行き先のファックス番号を取得し、
前記連絡先通知手段は、前記利用者確認手段にて受信した検出結果及び連絡先取得手段にて取得した通信手段の連絡先と共に、前記スケジュール情報記憶手段から取得した連絡先相手となる利用者の行き先のファックス番号を前記端末装置へ通知する請求項４に記載の連絡先検索装置。
【請求項１０】
前記スケジュール情報記憶手段は、利用者のポケットベル番号を記憶し、
前記連絡先取得手段は、前記スケジュール情報記憶手段から連絡先相手となる利用者のポケットベル番号を取得し、
前記連絡先通知手段は、前記利用者確認手段にて受信した検索結果及び連絡先取得手段にて取得した通信手段の連絡先と共に、前記スケジュール情報記憶手段から取得した連絡先相手となる利用者の行き先のポケットベル番号を前記端末装置へ通知する請求項４に記載の連絡先検索装置。
【請求項１１】
連絡しようとする利用者を指定する連絡先相手情報の入力を受け付ける入力受付手段と、
入力受付手段にて受け付けた前記連絡先相手情報に基づいて、連絡先相手となる利用者の所在地と所在地に応じた通信手段の連絡先とを問い合わせるための検索要求を連絡先検索装置に送出し、連絡先検索装置から送出されきた連絡先相手となる利用者の所在地と所在地に応じた通信手段の連絡先とを受信する連絡先検索手段と、
連絡先検索手段にて受信した前記所在地及び前記通信手段の連絡先と、記憶部に予め連絡先相手となる利用者に対応づけて記憶されている所在地及び通信手段の連絡先とを比較して、連絡先相手となる利用者の連絡先の提示順序を決定し、決定した提示順序で連絡しようとする相手の連絡先を表示部に表示する連絡先表示手段とを備えることを特徴とする端末装置。
【請求項１２】
前記連絡先検索手段は、連絡先相手となる利用者の所在地が確認できなかったことを示す情報と共に、前記連絡先相手となる利用者の行き先及び当該行き先の電話番号を含む情報を受信可能であって、
前記連絡先表示手段は、連絡先相手となる利用者の所在地が確認できなかったことを示す情報を受信した場合には、前記連絡先相手となる利用者の行き先及び当該行き先の電話番号を含む情報と、当該連絡先相手となる利用者のデフォルトの通信手段の連絡先とを前記表示手段に表示する請求項１１に記載の端末装置。
【請求項１３】
前記連絡先検索手段は、さらに、連絡元から連絡先相手となる利用者の行き先までの距離を受信可能であって、
前記連絡先表示手段は、受信した連絡元から連絡先相手となる利用者の行き先までの距離に基づいて、連絡先相手となる利用者の連絡先を変更する請求項１２に記載の端末装置。
【請求項１４】
前記連絡先検索手段は、さらに、連絡先相手となる利用者の電子メールアドレスを受信可能であって、
前記連絡先表示手段は、受信した連絡先相手となる利用者の電子メールアドレスの提示順序を第一番目とする請求項１２または１３に記載の端末装置。
【請求項１５】
前記連絡先表示手段に表示された通信手段の連絡先から、連絡先の通信手段を指定する連絡先指定手段と、
前記連絡先指定手段を介して指定された連絡先の通信手段に対して通信処理を行う通信手段とをさらに備える請求項１１乃至請求項１４のいずれかに記載の端末装置。
【請求項１６】
端末装置から、連絡しようとする利用者を指定する連絡先相手情報を含む検索要求を受信する連絡相手受信ステップと、
利用者を検出し、検出した前記利用者と検出結果とを対応づけて管理している利用者検出部へ、前記受信した連絡先相手情報を送出し、連絡先相手となる利用者に対応づけて管理されている検出結果を受信する利用者確認ステップと、
利用者確認ステップにて受信した前記検出結果に対応づけて記憶されている通信手段の連絡先を取得する連絡先取得ステップと、
利用者確認ステップにて受信した前記検出結果及び連絡先取得ステップにて取得した前記通信手段の連絡先を前記端末装置へ通知する連絡先通知ステップとをコンピュータに実行させるためのプログラムが記録された記憶媒体。
【請求項１７】
利用者確認ステップにて受信した前記検出結果に基づいて、連絡先相手となる利用者に予め対応づけて記憶されている通信手段の連絡先と、連絡先取得ステップにて取得した前記受信した検出結果に対応する通信手段の連絡先との提示順序を決定し、決定した提示順序で連絡先相手となる利用者の連絡先を表示部に表示させる連絡先表示ステップをコンピュータに実行させるためのプログラムが記録された請求項１６に記載の記憶媒体。
【請求項１８】
端末装置から、連絡しようとする利用者を指定する連絡先相手情報を含む検索要求を受信する連絡相手受信手段と、
利用者を検出し、検出した前記利用者と検出結果とを対応づけて管理している利用者検出部へ、前記受信した連絡先相手情報を送出し、連絡先相手となる利用者に対応づけて管理されている検出結果を受信する利用者確認手段と、
利用者確認手段にて受信した前記検出結果に対応づけて記憶されている通信手段の連絡先を取得する連絡先取得手段と、
利用者確認手段にて受信した前記検出結果に基づいて、連絡先相手となる利用者に予め対応づけて記憶されている通信手段の連絡先と、連絡先取得手段にて取得した前記受信した検出結果に対応する通信手段の連絡先とを比較し、異なる場合には、予め対応づけて記憶されている通信手段の連絡先と異なる連絡先にいることが判別可能なように表示部に表示させる連絡先表示手段とを備えることを特徴とする連絡先表示制御装置。
【請求項１９】
端末装置から、連絡しようとする利用者を指定する連絡先相手情報を含む検索要求を受信する連絡相手受信ステップと、
利用者を検出し、検出した前記利用者と検出結果とを対応づけて管理している利用者検出部へ、前記受信した連絡先相手情報をを送出し、連絡先相手となる利用者に対応づけて管理されている検出結果を受信する利用者確認ステップと、
利用者確認ステップにて受信した前記検出結果に対応づけて記憶されている通信手段の連絡先を取得する連絡先取得ステップと、
利用者確認ステップにて受信した前記検出結果に基づいて、連絡先相手となる利用者に予め対応づけて記憶されている通信手段の連絡先と、連絡先取得ステップにて取得した前記受信した検出結果に対応する通信手段の連絡先とを比較し、
異なる場合には、予め対応づけて記憶されている通信手段の連絡先と異なる連絡先にいることが判別可能なように表示部に表示させる連絡先表示ステップとをコンピュータに実行させるためのプログラムが記録された記録媒体。
【請求項２０】
端末装置から、連絡しようとする利用者を指定する連絡先相手情報を含む検索要求を受信する連絡相手受信手段と、
利用者を検出し、検出した前記利用者と検出結果とを対応づけて管理している利用者検出部へ、前記受信した連絡先相手情報を送出し、連絡先相手となる利用者に対応づけて管理されている検出結果を受信する利用者確認手段と、
利用者確認手段にて受信した前記検出結果に対応づけて記憶されている通信手段の連絡先を取得する連絡先取得手段と、
利用者確認手段にて受信した前記検出結果に基づいて、連絡先相手となる利用者に予め対応づけて記憶されている通信手段の連絡先と、連絡先取得手段にて取得した前記通信手段の連絡先との提示順序を決定し、決定した提示順序で連絡相手となる利用者の連絡先を表示部に表示させる連絡先表示手段とを備えることを特徴とする連絡先表示制御装置。
【請求項２１】
端末装置から、連絡しようとする利用者を指定する連絡先相手情報を含む検索要求を受信する連絡相手受信ステップと、
利用者を検出し、検出した前記利用者と検出結果とを対応づけて管理している利用者検出部へ、前記受信した連絡先相手情報を送出し、連絡先相手となる利用者に対応づけて管理されている検出結果を受信する利用者確認ステップと、
利用者確認ステップにて受信した前記検出結果に対応づけて記憶されている通信手段の連絡先を取得する連絡先取得ステップと、
利用者確認ステップにて受信した前記検出結果に基づいて、連絡先相手となる利用者に予め対応づけて記憶されている通信手段の連絡先と、連絡先取得ステップにて取得した前記通信手段の連絡先との提示順序を決定し、決定した提示順序で連絡先相手となる利用者の連絡先を表示部に表示させる連絡先表示ステップとをコンピュータに実行させるためのプログラムが記録された記憶媒体。
【請求項２２】
各々の利用者の所在地を検出する所在地検出手段と、前記所在地検出手段により検出可能な、各々の位置の通信手段の連絡先を記憶する連絡先記憶手段と、連絡しようとする相手を指定させる連絡相手指定手段と、前記連絡相手指定手段を介して指定された相手の通信手段の連絡先を、前記連絡先記憶手段から検索する連絡先検索手段と、前記連絡先検索手段により検索された通信手段の連絡先を表示させる表示手段とを有する連絡先提示システムであって、
各々の利用者に対してあらかじめ指定されたデフォルトの通信手段の連絡先を利用者ごとに記憶するデフォルト連絡先記憶手段と、
前記連絡相手指定手段を介して連絡先相手となる利用者が指定された際に、前記連絡先検索手段により検索された連絡相手となる利用者の所在地の通信手段の連絡先と、当該連絡先相手となる利用者のデフォルトの通信手段の連絡先とを比較する比較手段と、
前記連絡先検索手段により検索された連絡先相手となる利用者の所在地の通信手段の連絡先と、前記連絡相手のデフォルトの通信手段の連絡先とが一致する場合はデフォルトの通信手段の連絡先を表示させ、前記連絡先検索手段により検索された連絡先相手となる利用者の所在地の通信手段の連絡先と、当該連絡相手のデフォルトの通信手段の連絡先とが異なる場合は、前記利用者がデフォルトの所在地とは異なる位置にいることが判別可能なようにデフォルトの連絡先と前記連絡先検索手段にて検索された通信手段の連絡先とを表示させる表示制御手段とを備えることを特徴とする連絡先提示システム。